(57)【要約】【課題】開梱時における包装箱からの製品の取り出しを容易とする梱包装置を提供する。【解決手段】仕切り板２０は、一枚のシート材を打ち抜いて、幅ｂが製品３０の幅Ｂとほぼ等しい帯状とし、中央の底面部２１とその両側の側面部２３と両端の取っ手部２５とで構成する。そして、底面部に製品を載置して側面部を立ち上げて製品の側面を被う。これにより、梱包箱１０への製品収納時は、製品を載置した状態で梱包箱内に入れて下緩衝材１７・１８上に乗せる。一方、梱包箱からの製品取出し時は、外フラップ１１・１２と内フラップ１３・１４を開いて上緩衝材３２・３３を取り出し、取っ手部を起こして、その手掛け孔２８に手を掛けて持ち上げ、製品を載置した状態で取っ手部を持って梱包箱から取り出す。【選択図】        図１
2005001688.tif 000002
【特許請求の範囲】
【請求項１】
梱包箱内に緩衝材を介して製品を収納する梱包装置において、前記梱包箱への製品収納時に製品を載置した状態で前記梱包箱内に入れて前記緩衝材上に乗せる一方、前記梱包箱からの製品取出し時に製品を載置した状態で取っ手部を持って取り出す仕切り板を備えることを特徴とする、梱包装置。
【請求項２】
前記仕切り板を、紙でつくることを特徴とする、請求項１に記載の梱包装置。
【請求項３】
前記仕切り板を、一枚のシート材を打ち抜いて一体で形成することを特徴とする、請求項１または２に記載の梱包装置。
【請求項４】
前記取っ手部に、前記仕切り板に製品を載置した状態で持ち上げるときに手を掛ける手掛け孔を設けることを特徴とする、請求項１ないし３のいずれか１に記載の梱包装置。
【請求項５】
前記梱包箱への製品収納時に前記取っ手部を製品より突出して設けることを特徴とする、請求項１ないし４のいずれか１に記載の梱包装置。
【請求項６】
前記仕切り板を折り返して前記取っ手部を折り重ねて形成することを特徴とする、請求項１ないし５のいずれか１に記載の梱包装置。
【請求項７】
前記仕切り板に、製品を載置する底面部と、その底面部から立ち上がり製品の側面を被う少なくとも一対の側面部とを設けることを特徴とする、請求項３に記載の梱包装置。
【請求項８】
前記底面部に、製品の足部が入り込む足孔を形成することを特徴とする、請求項７に記載の梱包装置。
【請求項９】
前記底面部が、製品の全底面を被うことを特徴とする、請求項７に記載の梱包装置。
【請求項１０】
前記側面部と前記取っ手部との間に折り曲げ線を設けることを特徴とする、請求項７に記載の梱包装置。
【発明の詳細な説明】
【０００１】
【発明の属する技術分野】
この発明は、例えば、複写機・プリンタ・ファクシミリ等の画像形成装置、その画像形成装置に取り付けるステイプラ・孔あけ装置・シート折り装置等の周辺機などの製品を輸送するときに、それらの製品を段ボール製等の梱包箱内に緩衝材を介して収納する梱包装置に関する。
【０００２】
【従来の技術】
従来、この種の梱包装置は、例えば図６に示すように、段ボール製の直方体形状の梱包箱１と、その梱包箱１内に入れて対向底辺の両角部に各々あてがい配置する下緩衝材２・３と、それら下緩衝材２・３の凹部２ａ・３ａにはめ込んで固定した製品４に上から凹部５ａ・６ａをはめ付けて取り付ける上緩衝材５・６とからなる。
【０００３】
そして、梱包時は、梱包箱１の外フラップ７ａ・７ｂと内フラップ８ａ・８ｂを閉じてそれらを重ね合わせ、上から押さえて製品４を固定していた。開梱時は、外フラップ７ａ・７ｂと内フラップ８ａ・８ｂを開いて上緩衝材５・６を取り出し、製品４に直接手を掛けて持ち上げ、梱包箱１から取り出していた。
【特許文献１】特許第３２３０３０７号公報
【０００４】
【発明が解決しようとする課題】
ところが、このような従来の梱包装置では、例えば図７に示すように、上緩衝材５・６を取り出しても、製品４は梱包箱１内に入り込んでいるから、製品４を取り出すことが困難である問題があった。特に、デザイン上の理由などから取っ手がついていない製品４を梱包箱１内から取り出すとき、落下して破損したり、持ってはいけない部分に手を掛けて製品４に不具合を発生したりする問題があった。
【０００５】
そこで、この発明の第１の目的は、開梱時における包装箱からの製品の取り出しを容易とする梱包装置を提供することにある。
【０００６】
この発明の第２の目的は、廃棄処分が容易で環境に優しい梱包装置を提供することにある。
【０００７】
この発明の第３の目的は、製作を簡単として安価な梱包装置を提供することにある。
【０００８】
この発明の第４の目的は、包装箱からの製品の取り出しを一層容易とする梱包装置を提供することにある。
【０００９】
この発明の第５の目的は、破損するおそれを少なくした梱包装置を提供することにある。
【００１０】
この発明の第６の目的は、製品をより一層保護した梱包装置を提供することにある。
【００１１】
【課題を解決するための手段】
そのため、請求項１に記載の発明は、上記第１の目的を達成すべく、梱包箱内に緩衝材を介して製品を収納する梱包装置において、梱包箱への製品収納時に製品を載置した状態で梱包箱内に入れて緩衝材上に乗せる一方、梱包箱からの製品取出し時に製品を載置した状態で取っ手部を持って取り出す仕切り板を備える、ことを特徴とする。
【００１２】
請求項２に記載の発明は、上記第２の目的も達成すべく、請求項１に記載の梱包装置において、仕切り板を、段ボール等の紙でつくる、ことを特徴とする。
【００１３】
請求項３に記載の発明は、上記第３の目的も達成すべく、請求項１または２に記載の梱包装置において、仕切り板を、一枚のシート材を打ち抜いて一体で形成する、ことを特徴とする。
【００１４】
請求項４に記載の発明は、上記第４の目的も達成すべく、請求項１ないし３のいずれか１に記載の梱包装置において、取っ手部に、仕切り板に製品を載置した状態で持ち上げるときに手を掛ける手掛け孔を設ける、ことを特徴とする。
【００１５】
請求項５に記載の発明は、上記第４の目的も達成すべく、請求項１ないし４のいずれか１に記載の梱包装置において、梱包箱への製品収納時に取っ手部を製品より突出して設ける、ことを特徴とする。
【００１６】
請求項６に記載の発明は、上記第５の目的も達成すべく、請求項１ないし５のいずれか１に記載の梱包装置において、仕切り板を折り返して取っ手部を折り重ねて形成する、ことを特徴とする。
【００１７】
請求項７に記載の発明は、上記第６の目的も達成すべく、請求項３に記載の梱包装置において、仕切り板に、製品を載置する底面部と、その底面部から立ち上がり製品の側面を被う少なくとも一対の側面部とを設ける、ことを特徴とする。
【００１８】
請求項８に記載の発明は、上記第４の目的も達成すべく、請求項７に記載の梱包装置において、底面部に、製品の足部が入り込む足孔を形成する、ことを特徴とする。
【００１９】
請求項９に記載の発明は、上記第６の目的も達成すべく、請求項７に記載の梱包装置において、底面部が、製品の全底面を被う、ことを特徴とする。
【００２０】
請求項１０に記載の発明は、上記第６の目的も達成すべく、請求項７に記載の梱包装置において、側面部と取っ手部との間に折り曲げ線を設ける、ことを特徴とする。
【００２１】
【発明の実施の形態】
以下、図面を参照しつつ、この発明の実施の形態につき詳細に説明する。
図１には、この発明による梱包装置を分解して示す。
【００２２】
図中符号１０は、図示例では段ボール製の梱包箱である。梱包箱１０は、直方体形状で、上面と下面にはそれぞれ周囲に４つのフラップを有する。図１では、上面の、長辺に沿って設ける外フラップ１１・１２と、短辺に沿って設ける内フラップ１３・１４をともに開いて示す。下面の４つのフラップは、閉じて組み付けてなる。
【００２３】
そのような梱包箱１０内には、各々凹部１５・１６を有する下緩衝材１７・１８を入れる。下緩衝材１７・１８は、例えば発泡材を用いてつくり、梱包箱１０内の対向底辺（図示例では短辺）の両角部に各々あてがい配置する。
【００２４】
それから、仕切り板２０上に製品３０を載置した状態で梱包箱１０内に収納して仕切り板２０を介して下緩衝材１７・１８の凹部１５・１６に製品３０をはめ込む。その後、仕切り板２０を介して製品３０に上から上緩衝材３２・３３を被せ、製品３０をそれらの凹部３４・３５にはめ付けて取り付ける。
【００２５】
そして、梱包箱１０の外フラップ１１・１２と内フラップ１３・１４を閉じて重ね合わせ、上から押さえて製品３０を固定する。これにより、梱包箱１０内に、上下に分離して設ける下緩衝材１７・１８と上緩衝材３２・３３を介して製品３０を収納する。
【００２６】
ところで、仕切り板２０は、一枚のシート材を打ち抜いて一体で形成する。図示例では、梱包箱１０と同様に段ボールを用い、図２（Ａ）および（Ｂ）に示すように幅ｂの帯状につくる。この幅ｂは、図１に示す製品３０の幅Ｂとほぼ等しくする。
【００２７】
そして、仕切り板２０には、製品３０を載置する中央の底面部２１と、その底面部２１の両側に第１の折り曲げ線２２で仕切って連続して設ける側面部２３と、両先端に第２の折り曲げ線２４で仕切って連続して設ける取っ手部２５とで構成する。
【００２８】
底面部２１の四隅近くには、足孔２６を形成する。両取っ手部２５には、それぞれを二分する位置に、第２の折り曲げ線２４と平行な第３の折り曲げ線２７を設け、その第３の折り曲げ線２７で折って仕切り板２０を折り返して折り重ねたとき、その各々の折り重ね部分を貫通するように、第２の折り曲げ線２４に沿う対応する位置に手掛け孔２８を設ける。
【００２９】
梱包箱１０内に製品３０を収納するときは、底面部２１上に製品３０を載置し、製品３０の４つのゴム足（足部）３６をそれぞれ足孔２６内に入れる。足孔２６は、ゴム足３６に合わせた形状とする。そして、第１の折り曲げ線２２で折って底面部２１から側面部２３を立ち上げる。
【００３０】
これにより、底面部２１で製品３０の全底面を被うとともに、底面部２１から立ち上がる一対の側面部２３で製品３０の２つの側面の全面を被う。そして、第３の折り曲げ線２７で上部を外側に向け折って取っ手部２５を折り重ね、取っ手部２５の強度を高める。その後、手掛け孔２８に手を掛けて持ち上げ、製品３０を載置した状態で梱包箱１０内に入れて下緩衝材１７・１８上に乗せる。
【００３１】
この梱包箱１０内に製品３０を収納した状態では、取っ手部２５は、製品３０より上向きに突出している。そこで、側面部２３と取っ手部２５との間に設ける第２の折り曲げ線２４で折って取っ手部２５を内側にほぼ９０度折り曲げ、製品３０上に倒す。そして、図３に示すように、その取っ手部２５を挟んで製品３０上に上緩衝材３２・３３を取り付ける。
【００３２】
開梱時、梱包箱１０から製品３０を取り出すときは、外フラップ１１・１２と内フラップ１３・１４を開いて図４に示すように上緩衝材３２・３３を取り出し、取っ手部２５を完全に起こして、図５（Ａ）および（Ｂ）に示すように手掛け孔２８に手を掛けて持ち上げ、製品３０を載置した状態で取っ手部２５を持って梱包箱１０から取り出す。
【００３３】
なお、下緩衝材１７・１８、上緩衝材３２・３３等の緩衝材の数や形状、仕切り板２０の形状などは、上述した例に限らないことは言うまでもない。
【００３４】
【発明の効果】
以上説明したとおり、この発明によれば、梱包箱への製品収納時に製品を載置した状態で梱包箱内に入れて緩衝材上に乗せる一方、梱包箱からの製品取出し時に製品を載置した状態で取っ手部を持って取り出す仕切り板を備えるので、梱包時は、仕切り板上に製品を載置した状態で仕切り板の取っ手部を持って梱包箱内に入れ、梱包箱への製品の収納を容易とすることができる。開梱時は、仕切り板上に製品を載置した状態で仕切り板の取っ手部を持って取り出し、包装箱からの製品の取り出しを容易とすることができる。
【００３５】
これにより、直接製品を持たないで仕切り板の取っ手部を持って移動するから、デザイン上の理由などから取っ手がついていない製品を梱包箱に対して出し入れする場合にも、落下して破損したり、持ってはいけない部分に手を掛けて製品に不具合を発生したりするおそれがない。
【００３６】
請求項２に記載の発明によれば、仕切り板を、段ボール等の紙でつくるので、廃棄処分が容易で環境に優しくすることができる。
【００３７】
請求項３に記載の発明によれば、仕切り板を、一枚のシート材を打ち抜いて一体で形成するので、製作を簡単として安価とすることができる。
【００３８】
請求項４に記載の発明によれば、取っ手部に、仕切り板に製品を載置した状態で持ち上げるときに手を掛ける手掛け孔を設けるので、手掛け穴に手を掛けて、製品を載置した状態で取っ手部により製品を確実に持ち上げ、包装箱からの製品の取り出しを一層容易とすることができる。
【００３９】
請求項５に記載の発明によれば、梱包箱への製品収納時に取っ手部を製品より突出して設けるので、取っ手部が一目で分かり、また持ちやすく、包装箱からの製品の取り出しを一層容易とすることができる。
【００４０】
請求項６に記載の発明によれば、仕切り板を折り返して取っ手部を折り重ねて形成するので、取っ手部を補強して製品を持ち上げたときに仕切板が破損するおそれを少なくすることができる。
【００４１】
請求項７に記載の発明によれば、仕切り板に、製品を載置する底面部と、その底面部から立ち上がり製品の側面を被う少なくとも一対の側面部とを設けるので、梱包箱とともに仕切り板で製品の底面部と側面部を被って、輸送中に衝撃を受けた場合にも、製品をより一層保護することができる。
【００４２】
請求項８に記載の発明によれば、底面部に、製品の足部が入り込む足孔を形成するので、製品を持ち上げたとき製品が仕切り板上から滑り落ちるおそれを少なくし、作業性を向上して包装箱からの製品の取り出しを一層容易とすることができる。
【００４３】
請求項９に記載の発明によれば、底面部が、製品の全底面を被うので、製品をより一層保護することができる。
【００４４】
請求項１０に記載の発明によれば、側面部と取っ手部との間に折り曲げ線を設けるので、梱包時は、折り曲げ線で側面部に対して折り曲げて取っ手部で製品の上面を被い、製品をより一層保護することができる。
【図面の簡単な説明】
【図１】この発明による梱包装置の分解斜視図である。
【図２】（Ａ）はその梱包装置で用いる仕切り板の展開平面図、（Ｂ）はその正面図である。
【図３】その梱包装置で製品を包装し、上フラップを閉じて梱包を完了する直前の状態の断面図である。
【図４】その梱包装置による梱包を解いて上緩衝材を取り出した後の状態の斜視図である。
【図５】（Ａ）および（Ｂ）は、そののち仕切り板の左右の取っ手部にそれぞれ手を掛けた状態の斜視図である。
【図６】従来の梱包装置の分解斜視図である。
【図７】その従来の梱包装置で製品を包装し、上フラップを閉じて梱包を完了する直前の状態の断面図である。
【符号の説明】
１０    梱包箱
１７    下緩衝材
１８    下緩衝材
２０    仕切り板
２１    底面部
２３    側面部
２４    第２の折り曲げ線
２５    取っ手部
２６    足孔
２８    手掛け孔
３０    製品
３２    上緩衝材
３３    上緩衝材
３６    ゴム足（足部）
【図１】
2005001688.tif 000003
【図２】
2005001688.tif 000004
【図３】
2005001688.tif 000005
【図４】
2005001688.tif 000006
【図５】
2005001688.tif 000007
【図６】
2005001688.tif 000008
【図７】
2005001688.tif 000009